(57)【要約】  本発明は歯科用の汚染物消毒器に係り、さらに詳しくは、歯科施術時に患者の口腔内に残留する血液、膿汁などの汚染物を吐くために歯科用のユニットチェアーの一方の側に取り付けられた痰つぼの表面または痰つぼの排水口、吸入器の排水口による汚染を防止するための歯科用の汚染物消毒器に関する。歯科用のユニットチェアーに固設された通常の痰つぼを消毒するための歯科用の汚染物消毒器であって、前記痰つぼの入口部を覆蓋可能なサイズを有する蓋体と、前記蓋体の下部内面に設けられた紫外線ランプと、歯科用のユニットチェアーに固設された前記痰つぼの外面に取り付けられ、前記蓋体に連結されて蓋体を開閉可能な開閉機構と、前記開閉機構により前記蓋体を開閉し、且つ、前記紫外線ランプの点滅を制御する制御部と、を備えることを特徴とする。
2010505584.tif 000002
【特許請求の範囲】
【請求項１】
歯科用のユニットチェアーに固設された通常の痰つぼを消毒するための歯科用の汚染物消毒器であって、
前記痰つぼの入口部を覆蓋可能なサイズを有する蓋体と、
前記蓋体の下部内面に設けられた紫外線ランプと、
歯科用のユニットチェアーに固設された前記痰つぼの外面に取り付けられ、前記蓋体に連結されて蓋体を開閉可能な開閉機構と、
前記開閉機構により前記蓋体を開閉し、且つ、前記紫外線ランプの点滅を制御する制御部と、
を備えることを特徴とする歯科用の汚染物消毒器。
【請求項２】
前記蓋体は、前記開閉機構内の駆動機構に連結された作動棒により開閉可能であることを特徴とする請求項１に記載の歯科用の汚染物消毒器。
【請求項３】
前記開閉機構は、蓋体に一体に連結されて前記蓋体を上昇及び回転させるガイド溝または突起が設けられたガイド棒と、前記ガイド溝または突起と嵌合する突起またはガイド溝を有するガイド部材と、前記ガイド棒を駆動する駆動機構と、を備えることを特徴とする請求項１に記載の歯科用の汚染物消毒器。
【請求項４】
歯科用のユニットチェアーに固設された通常の痰つぼを消毒するための歯科用の汚染物消毒器であって、
内部に汚染物が蓄積される胴体部と、
痰つぼまたは吸入器の排出口に連通されて汚染物を前記胴体部に搬送する入口部と、
下水管に連通されて前記胴体部内の排出物を前記下水管に排出するための出口部と、
前記胴体部に発光部が内設された紫外線ランプと、
を備えることを特徴とする歯科用の汚染物消毒器。
【請求項５】
前記汚染物消毒器は、前記胴体部内部の汚染物を攪拌する攪拌用の羽根と、前記攪拌用の羽根を回転させるための駆動部と、を有する攪拌器をさらに備えることを特徴とする請求項４に記載の歯科用の汚染物消毒器。
【請求項６】
前記汚染物消毒器は、胴体部の下端に開閉可能な栓により封止された異物除去部をさらに備えることを特徴とする請求項４または請求項５に記載の歯科用の汚染物消毒器。
【発明の詳細な説明】
【技術分野】
【０００１】
本発明は歯科用の汚染物消毒器に係り、さらに詳しくは、歯科施術時に患者の口腔内に残留する血液、膿汁などの汚染物を吐くために歯科用のユニットチェアーの一方の側に取り付けられた痰つぼの表面または痰つぼの排水口、吸入器の排水口による汚染を防止するための歯科用の汚染物消毒器に関する。
【背景技術】
【０００２】
近年、歯科治療中の感染による事故が公衆波放送に報道されるに伴い、歯科用の治療器具だけではなく、診療室内の環境への関心が高まりつつある。
【０００３】
上記の報道資料などをはじめとしてこれまで知られているところによれば、人間の口腔内には５００余種以上の細菌が３００〜５００万匹／ｃｍ２程度に存在しており、ほとんどの歯科患者のように口腔内に炎症がある場合には１０００万〜３２００万匹／ｃｍ２の細菌が存在し、酷い場合にはカビ菌、葡萄状球菌まで発見されている。
【０００４】
また、歯科診療室の空気中にはおよそ８４万匹のバクテリアが常存しているにも拘わらず、これに対する予防措置または事後措置の徹底化を図ることができず、AIDSや病原菌に感染される事例が頻繁に発生している。
【０００５】
本出願人は、既に歯科用の治療器具の汚染問題を解消するために、代表的な歯科用の治療器具であるハンドピースを消毒可能な消毒器を発明している。（例えば下記の特許文献１及び２参照）。前記特許発明の消毒器により、患者の口腔に接触された治療器具を消毒して感染を防ぐことができ、且つ、治療器具により診療室内に拡散されるバクテリアを殺菌することができる。
【０００６】
通常、歯科において使用されるユニットチェアー１０は、図１に示すように、チェアー本体１２、治療器具据置台１４、照明ランプ１６及び痰つぼ２０を備えている。
【０００７】
痰つぼは、図２に示すように、広く開口された入口部２２と、患者が入口部に吐いた汚染物を痰つぼの外部に排出するための排出口２４と、を有し、排出物は、排出口に連通された下水管２６を介して排出される。
【０００８】
また、ユニットチェアー１０の一方の側には治療中に患者の口腔内に溜まる唾と血液などの汚染物を吸い込む吸入器（図示せず）が設けられており、吸入器に吸い込まれた汚染物は別途の配管を介して下水管に排出される。
【０００９】
しかしながら、歯科の施術過程において必然的に発生する生体組織、唾液、歯牙や補綴材の粉塵などの汚染物は患者の口腔内に残留し、このような異物は患者の口腔洗浄過程において痰つぼに吐かれたり、吸入器を介して排出されたりする。これにより、痰つぼと痰つぼ／吸入器に連通された下水管の汚染が起こってしまう。
【００１０】
痰つぼの表面及び痰つぼと吸入器に連通された下水管の汚染を防止するためには、痰つぼや吸入器の表面を消毒液により消毒するのが一般的であり、痰つぼに銀ナノ物質をコーティングすることにより感染を防ぐことも提案されている（例えば、下記の特許文献３参照）。
【００１１】
しかしながら、別途の殺菌洗浄液を使用する場合には、異物に混ぜられた洗浄液が環境を汚染してしまうという不都合があるだけではなく、銀ナノコーティングの場合、その殺菌効果についての損失が起こり易く、単に痰つぼに銀ナノ物質をコーティングするだけでは完全な殺菌効果が得られない。
【先行技術文献】
【特許文献】
【００１２】
【特許文献１】大韓民国登録特許第４５７４６７号公報
【特許文献２】大韓民国登録特許第４５７８６０号公報
【特許文献３】大韓民国実用新案第４０３８４３号公報
【発明の概要】
【発明が解決しようとする課題】
【００１３】
本発明は上記の問題点を解消するためになされたものであり、その目的は、紫外線により痰つぼを消毒することができ、患者が痰つぼを使用しない場合には蓋体を覆蓋して痰つぼにより発生する空気の汚染を防止することができると共に、異物が混ぜられて痰つぼから排出される汚染物を消毒して環境問題を防止することのできる消毒器を提供するところにある。
【００１４】
また、本発明の他の目的は、医者や看護士などの施術者または患者により消毒装置の開閉が自動的になされて使い勝手がよく、患者と消毒器とが互いに接触しないように開閉され、消毒時に使用される紫外線が外部に漏出しないようにした消毒器を提供するところにある。
【００１５】
さらに、本発明のさらなる他の目的は、痰つぼ／吸入器に連通された排出口側において病原菌などを殺菌して排出口による汚染物の感染危険性を低減することのできる消毒器を提供するところにある。
【課題を解決するための手段】
【００１６】
上記の諸目的を達成するために、本発明による歯科用の汚染物消毒器は、歯科用のユニットチェアー１０に固設された通常の痰つぼ２０を消毒するための歯科用の汚染物消毒器であって、前記痰つぼ２０の入口部を覆蓋可能なサイズを有する蓋体３０と、前記蓋体３０の下部内面に設けられた紫外線ランプ４０と、歯科用のユニットチェアー１０に固設された前記痰つぼ２０の外面に取り付けられ、前記蓋体３０に連結されて蓋体３０を開閉可能な開閉機構５０と、前記開閉機構５０により前記蓋体３０を開閉し、且つ、前記紫外線ランプ４０の点滅を制御する制御部と、を備えることをその特徴とする。
【００１７】
好ましくは、前記蓋体３０は、前記開閉機構５０内の駆動機構に連結された作動棒５２により開閉可能である。
【００１８】
また、好ましくは、前記開閉機構５０は、蓋体３０に一体に連結されて前記蓋体３０を上昇及び回転させるガイド溝６１または突起が設けられたガイド棒６０と、前記ガイド溝または突起と嵌合する突起６２またはガイド溝を有するガイド部材と、前記ガイド棒６０を駆動する駆動機構と、を備える。
【００１９】
さらに、紫外線殺菌であるという面で前記汚染物消毒器と技術的思想が同様であり、痰つぼまたは吸入器の排出口に設けられる本発明の他の汚染物消毒器は、内部に汚染物が蓄積される胴体部と、痰つぼまたは吸入器の排出口に連通されて汚染物を前記胴体部に搬送する入口部と、下水管に連通されて前記胴体部内の排出物を前記下水管に排出するための出口部と、前記胴体部に発光部が内設された紫外線ランプと、を備えることを特徴とする。
【００２０】
さらに、好ましくは、前記汚染物消毒器は、前記胴体部内部の汚染物を攪拌する攪拌用の羽根と、前記攪拌用の羽根を回転させるための駆動部と、を有する攪拌器をさらに備える。
【００２１】
さらに、好ましくは、前記汚染物消毒器は、胴体部の下端に開閉可能な栓により封止された異物除去部をさらに備える。
【００２２】
以上の２種類のタイプの痰つぼ消毒器はその設置位置が異なるため、それぞれを別々に痰つぼに設置してもよく、２種類のタイプの両方を痰つぼに設置してもよい。
【発明の効果】
【００２３】
本発明は、紫外線により痰つぼを消毒することができ、患者が痰つぼを使用しない場合には蓋体を覆蓋して痰つぼにより発生する空気の汚染を防止することができると共に、異物が混ぜられて痰つぼから排出される汚染物を消毒して環境問題を防止することができるという効果がある。
【００２４】
また、本発明は、医者や看護士などの施術者または患者により消毒装置の開閉が自動的になされて使い勝手がよく、消毒時に使用される紫外線が外部に漏出しないようにできると共に、痰つぼ／吸入器に連通された排出口側において病原菌などを殺菌して排出口による汚染物の感染危険性を低減することができるという効果がある。
【図面の簡単な説明】
【００２５】
【図１】歯科用のユニットチェアーを示す図。
【図２】通常の痰つぼの形状を示す図。
【図３】本発明の汚染物消毒器を示す図。
【図４】本発明の他の汚染物消毒器を示す図。
【図５】本発明のさらに他の汚染物消毒器を示す図。
【図６】本発明のさらに他の汚染物消毒器を示す図。
【発明を実施するための最良の形態】
【００２６】
以下、添付図面に基づき、本発明の好適な実施形態を詳述する。
【００２７】
実施形態１：
実施形態１は痰つぼの表面を消毒するための汚染物消毒器を開示しており、痰つぼ２０の入口部２２を封止可能な蓋体３０と、前記蓋体３０の下部内面に設けられた紫外線ランプ４０と、前記蓋体に連結され、蓋体を開閉可能な開閉機構５０と、前記開閉機構５０及び紫外線ランプ４０の作動を制御する制御部（図示せず）と、を備えている。
【００２８】
蓋体３０は痰つぼ２０の入口部２２を覆蓋可能なサイズを有し、その下部内面に紫外線ランプ４０が設けられて、蓋体３０を覆蓋した状態で紫外線ランプ４０から紫外線を照射することにより汚れた痰つぼ２０の表面が消毒される。
【００２９】
診療中に患者が、口腔内の異物などを痰つぼ２０に吐こうとする場合には前記蓋体３０を開くと共に、そうでない場合には蓋体３０を閉じるために、この実施形態においては開閉機構５０を備えている。
【００３０】
開閉機構５０は、患者が痰つぼを使用時に干渉しないように蓋体を開く役割を果たす。
【００３１】
図３に示す開閉機構５０は、前記蓋体３０を駆動機構５４に連結された作動棒５２により開閉するものである。
【００３２】
図３に示す開閉機構５０は、作動棒５２を蓋体３０の開閉方向に作動可能な空圧シリンダー、リニアモーター、回転モーターに連結されて回転モーターの回転運動を直線運動に変換するリンク機構及び回転モーターなどいかなる形態のものを使用しても構わない。
【００３３】
また、図４に示すように、前記開閉機構５０は、好ましくは、蓋体３０に一体に連結されて前記蓋体３０を上昇及び回転させるガイド溝６１付きガイド棒６０と、前記ガイド溝６１と嵌合する突起６２を有するガイド部材と、前記ガイド棒６０を駆動する駆動機構５４と、を備えている。
【００３４】
前記図４に示すガイド棒６０を駆動する駆動機構もまた、ガイド棒を直線運動させるリニアモーター、空圧シリンダー、または回転モーターに連結されて回転モーターの回転運動を直線運動に変換するリンク機構及び回転モーターなどいかなる形態のものを使用しても構わない。図４に示すガイド棒６０と駆動機構５４との連結は、ガイド棒６０の回転を妨げないように行う必要があることはいうまでもない。
【００３５】
前記開閉機構５０により蓋体３０を開閉し、且つ、蓋体３０が閉じられたときに紫外線ランプ４０を点灯させて痰つぼの表面を消毒し、蓋体３０が開かれると紫外線ランプ４０を消灯することは制御部（図示せず）により行われるが、この制御部は、医師や看護士などの治療者のスイッチ（図示せず）操作、またはユニットチェアーの背もたれに設けられた押下スイッチ（図示せず）などによりその作動を制御することができる。
【００３６】
前記実施形態１の汚染物消毒器は、痰つぼに直接的に取り付けられるか、または、底面に構造物を設けて取り付けられる。また、ここでは、駆動機構及び紫外線ランプなどの作動に必要とされる電気または空気圧を供給するための配線についての説明を省略しているが、当業者であれば、上記の説明に基づいて本発明を実現するのに何等難点がないであろう。
【００３７】
実施形態２：
実施形態２は痰つぼまたは吸入器の排出口に排出される汚染物を殺菌するためのものを開示しており、図５及び図６に示す汚染物消毒器は、内部に汚染物が蓄積される胴体部１００を備える。また、この胴体部１００には、痰つぼまたは吸入器の排出口に連通されて汚染物を前記胴体部１００に搬送する入口部１２０と、下水管に連通されて前記胴体部１００内の排出物を前記下水管に排出するための出口部１４０と、が設けられる。さらに、図５及び図６に示す汚染物消毒器は、前記胴体部１００の内部の汚染物を殺菌するための発光部を胴体部に内設した紫外線ランプ４０をさらに備える。
【００３８】
また、好ましくは、前記汚染物消毒器は、前記胴体部１００内部の汚染物を攪拌する攪拌用の羽根１６０と、前記攪拌用の羽根１６０を回転させるための駆動部１７０と、を有する攪拌器をさらに備える。
【００３９】
前記駆動部１７０は攪拌用の羽根１６０を回転させるためのものであり、図５においては、攪拌用の羽根の軸１６２の周りに永久磁石１６４を装着し、前記胴体部１００の外部に、前記永久磁石１６４に駆動力を伝達可能な電磁石１７２を設けて、一般のモーターのように電磁石に電流を加えることにより、攪拌用の羽根１６０を回転することが可能になる。このように攪拌用の羽根１６０を回転させることにより、濁った汚染物が循環されながら満遍なく紫外線に露出されて殺菌作用が起こるのである。
【００４０】
この実施形態においては、図５に示す如き攪拌器について説明したが、水中モーターに攪拌用の羽根１６０を取り付けて汚染物を攪拌することも可能であり、また、攪拌用の羽根を磁性体から形成し、前記胴体部の外部における永久磁石を回転させながら磁性体攪拌用の羽根を回転させることも可能である。 
【００４１】
また、好ましくは、前記汚染物消毒器は、胴体部１００の下端に開閉可能な栓１８０により封止された異物除去部をさらに備える。この異物除去部により、排出口に排出された汚染物のうち歯牙組織や金属異物などの汚染物が溜まることになり、周期的にこれらの歯牙組織や金属異物を除去することが好ましい。
【００４２】
前記攪拌用の羽根１６０によって、前記異物除去部の方向に汚染物が流動するようにさせることで、汚染物のうち重量が大きくて出口部に排出し切れなかったものを異物除去部に溜まらせることがより容易になる。
【００４３】
図６は、痰つぼと吸入器の排出口側にそれぞれ設けた本発明の汚染物消毒器を示すものであり、痰つぼの排出口側に連結された汚染物消毒器３００は、図５に示す構成要素をいずれも備えているのに対し、吸入器の排出口側に連結された汚染物消毒器２００は、胴体部１００、入口部１２０、出口部１４０及び紫外線ランプ４０を備えている。
【００４４】
吸入器と汚染物消毒器２００の入口部１２０側においては吸い込まれた汚染物が強い圧力にて排出されて胴体部１００内の汚染物の流動を生じさせるため、攪拌器が不要になる。
【産業上の利用可能性】
【００４５】
本発明は歯科用の汚染物消毒器に係り、歯科施術時に患者の口腔内に残留する血液、膿汁などの汚染物を吐くために歯科用のユニットチェアーの一方の側に取り付けられた痰つぼの表面または痰つぼの排水口、吸入器の排水口による汚染を防止する上で有効に使用可能である。
【図１】
2010505584.tif 000003
【図２】
2010505584.tif 000004
【図３（ａ）】
2010505584.tif 000005
【図３（ｂ）】
2010505584.tif 000006
【図３（ｃ）】
2010505584.tif 000007
【図４（ａ）】
2010505584.tif 000008
【図４（ｂ）】
2010505584.tif 000009
【図５】
2010505584.tif 000010
【図６】
2010505584.tif 000011
【国際調査報告】
2010505584.tif 000012
2010505584.tif 000013